(57)【特許請求の範囲】
【請求項１】
右眼用信号を生成することができる右眼用信号生成領域と、左眼用信号を生成することができる左眼用信号生成領域と、前記右眼用信号生成領域及び前記左眼用信号生成領域に隣接する第１光透過量調節領域とを含む表示部と、
前記右眼用信号が入射され得る位置に配設される右眼用信号偏光調節領域と前記左眼用信号が入射され得る位置に配設される左眼用信号偏光調節領域とを含む偏光調節部と、前記右眼用信号偏光調節領域及び前記左眼用信号偏光調節領域に隣接する第２光透過量調節領域とを含むフィルタ部と、を含み、
下記数式１を満たす表示装置。
［数式１］
Ｈ１＋Ｈ２≦（ＰＬ＋ＰＲ）／２
前記数式１でＨ１及びＨ２は、それぞれ前記第１光透過量調節領域及び前記第２光透過量調節領域の幅であり、ＰＬ及びＰＲは、それぞれ前記左眼用信号偏光調節領域及び前記右眼用信号偏光調節領域の幅であり、
下記数式２を満たす角度ΘＵの最大値と下記数式３を満たす角度ΘＬの最大値が３度以上であり、
［数式２］
ｔａｎΘＵ＝（Ｈ１＋２ｙ）／２Ｔ
［数式３］
ｔａｎΘＬ＝（Ｈ１＋２Ｈ２−２ｙ）／２Ｔ
前記数式２及び３で、Ｈ１及びＨ２は、それぞれ前記第１光透過量調節領域及び前記第２光透過量調節領域の幅であり、Ｔは、前記表示部から前記フィルタ部までの距離であり、ｙは、前記第１光透過量調節領域の二等分線の前記第１光透過量調節領域の表面に対する仮想の法線が前記第２光透過量調節領域と当接する地点から前記第２光透過量調節領域の存在する部分までの距離であり、
前記表示部から前記フィルタ部までの距離が５ｍｍ以下であり、
前記第２光透過量調節領域の幅は、０μｍを超過し且つ１，０００μｍ以下であり、
前記第２光透過量調節領域の幅が前記第１光透過量調節領域の幅より小さい。
【請求項２】
前記第１光透過量調節領域及び前記第２光透過量調節領域の光透過率がそれぞれ０％〜２０％である、請求項１に記載の表示装置。
【請求項３】
前記表示部は、前記右眼用信号生成領域及び前記左眼用信号生成領域を有する映像生成領域を含み、前記映像生成領域の一側に順次に配置された第１偏光板及び光源をさらに含む、請求項１又は２に記載の表示装置。
【請求項４】
前記第１光透過量調節領域は、クロム、クロムとクロム酸化物の二層膜、カーボンブラック、又は顔料を含む樹脂層又はグラファイトを含む、請求項１から３のいずれか一項に記載の表示装置。
【請求項５】
前記偏光調節部と前記表示部との間に位置する第２偏光板をさらに含む、請求項１から４のいずれか一項に記載の表示装置。
【請求項６】
前記第２光透過量調節領域は、前記右眼用信号偏光調節領域及び前記左眼用信号偏光調節領域の間に位置する、請求項１に記載の表示装置。
【請求項７】
前記第２光透過量調節領域は、前記第２偏光板と前記偏光調節部との間に位置し、また、前記右眼用信号偏光調節領域または前記左眼用信号偏光調節領域の少なくとも一部分と重なるように位置する、請求項５に記載の表示装置。
【請求項８】
前記第２光透過量調節領域は、前記偏光調節部と当接する前記第２偏光板の一面と反対側の前記第２偏光板の一面に当接するか、または前記表示部と当接しつつ、前記右眼用信号偏光調節領域または前記左眼用信号偏光調節領域の少なくとも一部分と重なるように位置する、請求項５に記載の表示装置。
【請求項９】
前記第２光透過量調節領域は、前記第２偏光板と当接する前記偏光調節部の面と反対側の前記偏光調節部の一面に当接しつつ、前記右眼用信号偏光調節領域または前記左眼用信号偏光調節領域の少なくとも一部分と重なるように位置する、請求項５に記載の表示装置。
【請求項１０】
前記第２光透過量調節領域は、光遮断性または光吸収性インクを含む、請求項１から９のいずれか一項に記載の表示装置。
【請求項１１】
前記第１光透過量調節領域の幅と前記第２光透過量調節領域の幅との差が１，０００μｍ以内である、請求項１から１０のいずれか一項に記載の表示装置。
【請求項１２】
正面で観察した相対輝度が６０％以上である、請求項１から１１のいずれか一項に記載の表示装置。
【請求項１３】
正面で観察した相対輝度が６０％以上である、請求項１から請求項１２のいずれか１つに記載の表示装置。
【請求項１４】
右眼用信号を生成することができる右眼用信号生成領域及び左眼用信号を生成することができる左眼用信号生成領域を含む表示部と、前記右眼用信号が入射され得る位置に配設される右眼用信号偏光調節領域及び前記左眼用信号が入射され得る位置に配設される左眼用信号偏光調節領域を含む偏光調節部を備えるフィルタ部とを含む表示装置を製造する方法であって、
視野角範囲内のいずれか１つの角度で前記右眼用信号生成領域及び前記左眼用信号生成領域でそれぞれ発生した右眼用信号または左眼用信号の一部が入射され得るように第１光透過量調節領域を前記右眼用信号生成領域及び前記左眼用信号生成領域に隣接して位置させ、
前記右眼用信号または前記左眼用信号が前記右眼用信号偏光調節領域または前記左眼用信号偏光調節領域に入射する前に、前記右眼用信号偏光調節領域または前記左眼用信号偏光調節領域を透過する過程または前記右眼用信号偏光調節領域または前記左眼用信号偏光調節領域を透過した後に、視野角範囲内のいずれか１つの角度で入射され得るように第２光透過量調節領域を前記右眼用信号偏光調節領域及び前記左眼用信号偏光調節領域に隣接して位置させることを含み、
前記第１光透過量調節領域及び前記第２光透過量調節領域は、下記数式１を満たす製造方法。
［数式１］
Ｈ１＋Ｈ２≦（ＰＬ＋ＰＲ）／２
前記数式１で、Ｈ１及びＨ２は、それぞれ前記第１光透過量調節領域及び前記第２光透過量調節領域の幅であり、ＰＬ及びＰＲは、それぞれ前記左眼用信号偏光調節領域及び前記右眼用信号偏光調節領域の幅であり、
下記数式２を満たす角度ΘＵの最大値と下記数式３を満たす角度ΘＬの最大値が３度以上であり、
［数式２］
ｔａｎΘＵ＝（Ｈ１＋２ｙ）／２Ｔ
［数式３］
ｔａｎΘＬ＝（Ｈ１＋２Ｈ２−２ｙ）／２Ｔ
前記数式２及び３で、Ｈ１及びＨ２は、それぞれ前記第１光透過量調節領域及び前記第２光透過量調節領域の幅であり、Ｔは、前記表示部から前記フィルタ部までの距離であり、ｙは、前記第１光透過量調節領域の二等分線の前記第１光透過量調節領域の表面に対する仮想の法線が前記第２光透過量調節領域と当接する地点から前記第２光透過量調節領域の存在する部分までの距離であり、
前記表示部から前記フィルタ部までの距離が５ｍｍ以下であり、
前記第２光透過量調節領域の幅は、０μｍを超過し且つ１，０００μｍ以下であり、
前記第２光透過量調節領域の幅が前記第１光透過量調節領域の幅より小さい。
【発明の詳細な説明】
【技術分野】
【０００１】
本出願は、表示装置及び表示装置の製造方法に関する。
【背景技術】
【０００２】
立体映像表示装置（ｓｔｅｒｅｏｓｃｏｐｉｃ  ｉｍａｇｅ  ｄｉｓｐｌａｙ  ｄｅｖｉｃｅ）は、３次元情報を観察者に伝達することができる表示装置である。
【０００３】
立体映像を表示する方式には、例えば、メガネ方式と無メガネ方式がある。前記メガネ方式は、さらに、偏光メガネ方式とＬＣシャッターメガネ（ＬＣ  ｓｈｕｔｔｅｒ  ｇｌａｓｓ）方式とに分類されることができ、無メガネ方式は、２眼式／多視点両眼視差方式、体積型方式またはホログラフィック方式などに分類されることができる。
【発明の概要】
【発明が解決しようとする課題】
【０００４】
本出願は、表示装置及び表示装置の製造方法を提供する。
【課題を解決するための手段】
【０００５】
例示的な表示装置は、表示部及びフィルタ部を含むことができる。１つの例示で表示装置は、立体映像表示装置（以下、「３Ｄ装置」）であることができる。前記装置の１つの例示で、表示部及びフィルタ部は、表示部から出射される信号がフィルタ部を透過した後に、観察者に伝達され得るように配置されていてもよい。
【０００６】
表示部は、駆動状態で右眼用信号（以下、「Ｒ信号」）を生成することができる右眼用信号生成領域（以下、「ＲＳ領域」）と左眼用信号（以下、「Ｌ信号」）を生成することができる左眼用信号生成領域（以下、「ＬＳ領域」）とを含むことがきる。用語「駆動状態」は、表示装置、例えば３Ｄ装置が映像、例えば、立体映像を表示している状態を意味することができる。
【０００７】
表示部は、さらに、ＲＳ及びＬＳ領域に隣接する光透過量調節領域（以下、「ＴＣ領域」）を含むことができる。
【０００８】
用語「ＴＣ領域」は、その領域に入射される光を遮断するか、またはその領域に入射される光のうち一部の光のみを透過させることができるように形成された領域を意味することができる。１つの例示でＴＣ領域は、入射される光の透過率、すなわち光透過率が０％〜２０％、０％〜１５％、０％〜１０％または０％〜５％である領域を意味することができる。
【０００９】
また、上記でＴＣ領域がＲＳ及びＬＳ領域に隣接するということは、視野角の範囲内に属する少なくともいずれか１つの角度で映像を観察するとき、ＲＳ及び／またはＬＳ領域で生成されたＲ信号及び／またはＬ信号がフィルタ部に伝達される過程でＲ及び／またはＬ信号の少なくとも一部がＴＣ領域に入射することによって、ＴＣ領域に入射した信号がＴＣ領域により遮断されるか、またはＴＣ領域に入射した信号の一部のみがＴＣ領域を透過し、フィルタ部に伝達され得るようにする位置にＴＣ領域が存在することを意味することができる。
【００１０】
本明細書で用語「視野角」は、例えば、ＬＳ領域で生成されたＬ信号がフィルタ部の左眼用信号偏光調節領域（以下、「ＬＧ領域」）を透過し、また、右眼用信号偏光調節領域（以下、「ＲＧ領域」）を透過することなく、観察者に伝達され得る角度の範囲またはＲＳ領域で生成されたＲ信号がフィルタ部のＲＧ領域を透過し、また、ＬＧ領域を透過することなく、観察者に伝達され得る角度の範囲を意味することができる。視野角を超過する角度では、Ｌ信号がＲＧ領域を透過するか、あるいはＲ信号がＬＧ領域を透過した後に観察者に伝達され、映像の品質を低下させるいわゆるクロストーク（ｃｒｏｓｓｔａｌｋ）現象が起きることができる。
【００１１】
１つの例示でＲＳ及びＬＳ領域に接して存在するＴＣ領域は、前記ＲＳとＬＳ領域の間に位置することができる。ＴＣ領域がＲＳとＬＳ領域の間に存在する態様の例としては、同一平面上でＲＳ、ＴＣ及びＬＳ領域が順次に位置する場合、または、ＲＳ及びＬＳ領域が位置する平面の前面または後面にＴＣ領域が位置する場合などが例示されることができる。ＲＳ及びＬＳ領域が位置する平面の前面または後面にＴＣ領域が位置する場合には、ＴＣ領域は、前記装置を正面で観察するとき、前記ＲＳ及び／またはＬＳ領域の少なくとも一部と重なった状態で存在することができる。
【００１２】
フィルタ部は、偏光調節部及びＴＣ領域を含むことができる。本明細書では、説明の便宜上、表示部に含まれるＴＣ領域は、ＴＣ１領域と呼称し、フィルタ部に含まれるＴＣ領域は、ＴＣ２領域と呼称する。偏光調節部は、ＲＧ領域及びＬＧ領域を含むことができる。ＲＧ領域は、例えば、駆動状態において、表示部で生成されたＲ信号が入射され得る位置に存在することができる。また、ＬＧ領域は、例えば、駆動状態において表示部で生成されたＬ信号が入射され得る位置に存在することができる。
【００１３】
ＴＣ２領域は、ＲＧ及びＬＧ領域と隣接して位置することができる。ＴＣ２領域がＲＧ及びＬＧ領域に隣接するということは、視野角範囲内に属する少なくともいずれか１つの角度で映像を観察するとき、表示部から伝達されるＲ信号及び／またはＬ信号がＲＧ及び／またはＬＧ領域に入射される前に、ＲＧ及び／またはＬＧ領域を透過する過程、またはＲＧ及び／またはＬＧ領域を透過した後に、Ｒ及び／またはＬ信号の一部がＴＣ２領域に入射することによって、ＴＣ２領域に入射した信号がＴＣ２領域により遮断されるか、またはＴＣ２領域に入射した信号の一部のみがＴＣ２領域を透過することができるようにする位置にＴＣ２領域が存在することを意味することができる。
【００１４】
１つの例示でＲＧ及びＬＧ領域に隣接して存在するＴＣ２領域は、ＲＧとＬＧ領域の間に位置することができる。ＴＣ２領域がＲＧとＬＧ領域の間に存在する態様の例としては、同一平面上でＲＧ、ＴＣ２及びＬＧ領域が順次に位置する場合、またはＲＧ及びＬＧ領域が位置する平面の前面または後面にＴＣ２領域が位置する場合などが例示されることができる。ＲＧ及びＬＧ領域が位置する平面の前面または後面にＴＣ２領域が位置する場合には、ＴＣ２領域は、前記装置を正面で観察する時に、ＲＧ及び／またはＬＧ領域の少なくとも一部と重なった状態で存在することができる。
【００１５】
１つの例示的な３Ｄ装置は、観察者が立体映像観察用メガネ（以下、「３Ｄメガネ」）を着用し、立体映像を観察する装置であることができる。
【００１６】
図１は、本出願の例示的な３Ｄ装置を概略的に示す図である。図１のように、本出願の例示的な３Ｄ装置１は、表示部１０１とフィルタ部１０２とを含むことができる。表示部１０１は、光源１０１１、偏光板１０１２及び映像生成領域１０１３を含むことができる。ＲＳ及びＬＳ領域は、映像生成領域１０１３に含まれ、偏光板１０１２及び光源１０１１は、前記映像生成領域１０１３の一側に順次に含まれることができる。
【００１７】
光源１０１１としては、例えば、ＬＣＤ（Ｌｉｑｕｉｄ  Ｃｒｙｓｔａｌ  Ｄｉｓｐｌａｙ）などの表示装置において光源として通常使用される直下型（ｄｉｒｅｃｔ  ｔｙｐｅ）またはエッジ型（ｅｄｇｅ  ｔｙｐｅ）のバックライトユニット（ＢＬＵ；Ｂａｃｋ  Ｌｉｇｈｔ  Ｕｎｉｔ）が使用されることができる。光源１０１１としては、上記以外にも多様な種類の装置が使用されることができる。
【００１８】
表示部１０１において偏光板１０１２は、光源１０１１と映像生成領域１０１３との間に位置することができる。このような配置によって、光源１０１１から出射した光は、偏光板１０１２を透過した後に、映像生成領域１０１３に入射することができる。
【００１９】
偏光板は、透過軸及び前記透過軸に直交する吸収軸が形成されている光学素子であることができる。偏光板に光が入射すれば、入射した光のうち偏光板の透過軸方向と平行な偏光軸を有する光のみが透過されることができる。本明細書では、後述するフィルタ部に含まれる偏光板との区別のために表示部に含まれる偏光板を第１偏光板と呼称し、フィルタ部に含まれる偏光板を第２偏光板と呼称する。
【００２０】
映像生成領域１０１３は、駆動状態でＬ信号を生成することができるＬＳ領域とＲ信号を生成することができるＲＳ領域を含むことができる。
【００２１】
１つの例示で映像生成領域１０１３は、２枚の基板の間に液晶層を介在させた透過型液晶パネルにより形成される領域または前記液晶パネルの内部に形成される領域であることができる。液晶パネルは、例えば、光源１０１１側から順次に配置された第１基板、画素電極、第１配向膜、液晶層、第２配向膜、共通電極及び第２基板を含むことができる。第１基板には、例えば、透明画素電極に電気的に接続された駆動素子としてＴＦＴ（Ｔｈｉｎ  Ｆｉｌｍ  Ｔｒａｎｓｉｓｔｏｒ）と配線などを含むアクティブ型駆動回路が形成されていてもよい。画素電極は、例えば、ＩＴＯ（Ｉｎｄｉｕｍ  Ｔｉｎ  Ｏｘｉｄｅ）などの金属酸化物を含むもので、画素別電極として機能することができる。また、第１または第２配向膜は、例えば、液晶層の液晶を配向させる役目をすることができる。液晶層は、例えば、ＶＡ（Ｖｅｒｔｉｃａｌ  Ａｌｉｇｎｍｅｎｔ）、ＴＮ（Ｔｗｉｓｔｅｄ  Ｎｅｍａｔｉｃ）、ＳＴＮ（Ｓｕｐｅｒ  Ｔｗｉｓｔｅｄ  Ｎｅｍａｔｉｃ）またはＩＰＳ（Ｉｎ  Ｐｌａｎｅ  Ｓｗｉｔｃｈｉｎｇ）モードの液晶を含むことができる。液晶層は、駆動回路から印加される電圧によって、光源１０１１からの光を画素別に透過または遮断する機能を有することができる。共通電極は、例えば、共通の対向電極として機能することができる。
【００２２】
映像生成領域１０１３には、駆動状態でＬまたはＲ信号を生成することができる領域であって、１つ以上の画素（ｐｉｘｅｌ）を含むＬＳ及びＲＳ領域が形成されていてもよい。例えば、液晶パネルにおいて第１及び第２配向膜の間に密封された液晶を含む１つ以上の単位画素がＬＳまたはＲＳ領域を形成していてもよい。ＬＳ及びＲＳ領域は、行及び／または列方向に配置されていてもよい。
【００２３】
図２及び図３は、例示的なＲＳ及びＬＳ領域の配置を示す図である。図２及び図３は、３Ｄ装置を正面で観察する場合のＲＳ及びＬＳ領域の配置であることができる。１つの例示でＲＳ及びＬＳ領域は、図２のように、共通の方向、例えば、長手方向に延長するストライプ形状を有し、隣接して交互に配置されていてもよい。他の例示で、ＲＳ及びＬＳ領域は、図３のように、格子パターンで互いに隣接して交互に配置されている。しかし、ＲＳ及びＬＳ領域の配置は、図２及び図３の配置に制限されるものではなく、他の多様なデザインも適用されることができる。
【００２４】
表示部１０１は、例えば、駆動状態で信号によって各領域での画素を駆動することによって、Ｒ及びＬ信号を含む信号を生成することができる。
【００２５】
例えば、図１を参照すれば、光源１０１１から出射した光が第１偏光板１０１２に入射すれば、偏光板１０１２の透過軸と平行に偏光された光のみが透過されることができる。このように透過された光は、映像生成領域１０１３に入射する。映像生成領域１０１３に入射してＲＳ領域を透過した光は、Ｒ信号となり、ＬＳ領域を透過した光は、Ｌ信号となることができる。
【００２６】
表示部１０１は、ＴＣ１領域を含むことができる。ＴＣ１領域は、ＲＳ及びＬＳ領域に隣接して位置することができる。例示的な装置１を模式的に示す図１では、ＴＣ１領域が映像生成領域１０１３でＲＳ及びＬＳ領域が形成される平面の前面に位置し、また正面で観察するとき、前記ＲＳ及びＬＳ領域の間で前記ＲＳ及びＬＳ領域の一部と重なるように位置している。しかし、ＴＣ１領域の位置は、図１に示された配置に制限されない。例えば、ＴＣ１領域は、ＲＳ及びＬＳ領域が形成される平面の後面に位置するか、例えば、後述する図１０〜図１４に示されたように、ＲＳ及びＬＳ領域が形成されれば、平面と同一の平面に位置することもできる。図４は、図２のＬＳ及びＲＳ領域の配置形態をＴＣ１の存在を勘案してさらに図示した図であり、図５は、図３のＬＳ及びＲＳ領域の配置をＴＣ１の存在を勘案してさらに図示した図である。図４及び図５で、ＴＣ１領域は、斜線で表示されている。
【００２７】
ＴＣ１領域は、例えば、後述するＴＣ２領域と組合されて輝度の損失なしに３Ｄ装置が広い視野角で映像を表示するようにすることができる。
【００２８】
１つの例示でＴＣ１領域は、ブラックマトリックスであることができる。例えば、映像生成領域１０１３が透過型液晶パネルにより形成される領域であるか、またはその内部に形成される領域の場合、ＴＣ１領域は、前述したように、液晶パネルに含まれることができる第２基板に通常的に存在するカラーフィルタに含まれるブラックマトリックスであることができる。１つの例示でＴＣ１領域は、クロム（Ｃｒ）、クロムとクロム酸化物の二層膜（Ｃｒ／ＣｒＯｘ二層膜）、カーボンブラック（ｃａｒｂｏｎ  ｂｌａｃｋ）、カーボン顔料などのような顔料（ｐｉｇｍｅｎｔ）を含む樹脂層またはグラファイト（Ｇｒａｐｈｉｔｅ）を含んで形成される領域であることができる。前記素材を使用してＴＣ１領域を形成する方式は、特に制限されない。例えば、ＴＣ１領域は、ブラックマトリックスを形成する通常的な方式であるフォトリソグラフィ（ｐｈｏｔｏｌｉｔｈｏｇｒａｐｈｙ）やリフトオフ（ｌｉｆｔ  ｏｆｆ）方式などで形成することができる。
【００２９】
３Ｄ装置でフィルタ部１０２は、例えば、図１に示されたように、偏光調節部１０２２を含み、第２偏光板１０２１をさらに含むことができる。第２偏光板１０２１は、表示部１０１と偏光調節部１０２２との間に含まれることができる。偏光調節部１０２２は、ＬＧ及びＲＧ領域を含む。また、ＴＣ２領域は、ＬＧ及びＲＧ領域に隣接して位置することができる。例示的な装置１を模式的に示す図１では、ＴＣ２領域がＲＧとＬＧ領域の間に位置し、またＲＧ及びＬＧ領域が位置する平面の前面で前記ＲＧ及びＬＧ領域の一部と重なるように位置するものとして表示されている。しかし、ＴＣ２領域の位置は、図１の配置に制限されない。例えば、ＴＣ２領域は、図１０〜図１４のように、ＲＧ及びＬＧ領域が存在する平面と同一の平面に位置するか、またはその平面の後面に位置することもできる。
【００３０】
これにより、映像生成領域１０１３から出射された信号は、第２偏光板１０２１と偏光調節部１０２２を順次に透過し、観察者に伝達されることができる。また、Ｒ及び／またはＬ信号の少なくとも一部は、視野角内のいずれか１つの角度で観察するとき、ＲＧ及び／またはＬＧ領域に入射する前に、ＲＧ及び／またはＬＧ領域を透過する過程またはＲＧ及び／またはＬＧ領域を透過した後に、ＴＣ２領域に入射することができる。
【００３１】
第２偏光板１０２１は、第１偏光板１０１２のように、透過軸及び前記透過軸に直交する吸収軸が形成されている光学素子であり、光が入射されれば、そのうち、透過軸方向と平行な偏光軸を有する信号のみを透過させることができる。１つの例示で３Ｄ装置１に含まれる第１及び第２偏光板１０１２、１０２１は、それぞれの吸収軸が互いに垂直を成すように配置されていてもよい。第１及び第２偏光板１０１２、１０２１の透過軸も互いに垂直を成していてもよい。上記で垂直は、実質的な垂直を意味し、例えば、±１５度以内、±１０度以内または±５度以内の誤差を含むことができる。
【００３２】
偏光調節部１０２２に含まれるＲＧ及びＬＧ領域は、それぞれＲ及びＬ信号の偏光状態を調節することができる領域である。１つの例示でＲＧ及びＬＧ領域は、Ｒ及びＬ信号が互いに異なる偏光状態を有したまま３Ｄ装置から出射されるようにする役目をする領域であることができる。
【００３３】
１つの例示でＲＧ領域は、駆動状態でＲＳ領域で生成及び伝達されるＲ信号が入射され得るようにＲＳ領域に略対応する位置にＲＳ領域と略対応するサイズに配置されていてもよく、ＬＳ領域は、ＬＳ領域で生成及び伝達されるＬ信号が入射され得るようにＬＳ領域の略対応する位置にＬＳ領域と略対応するサイズに配置されていてもよい。ＲＳまたはＬＳ領域に対応する位置に対応するサイズでＲＧまたはＬＧ領域が形成されるというのは、ＲＳ領域で生成されたＲ信号がＲＧ領域に入射されることができ、ＬＳ領域で生成されたＬ信号がＬＧ領域に入射され得る位置及びサイズを意味するものであり、必ず両方が同一の位置に同一のサイズで形成されなければならないことを意味するものではない。
【００３４】
ＲＧ及びＬＧ領域は、例えば、表示部のＲＳ及びＬＳ領域の配置に対応して共通方向、例えば、長手方向に延長するストライプ形状に形成され、また互いに隣接して交互に配置されているか、あるいは、格子パターンで互いに隣接して交互に配置されていてもよい。例えば、ＲＳ及びＬＳ領域が図２のように配置されている場合、ＲＧ及びＬＧ領域は、図６のような形態に配置されていてもよく、ＲＳ及びＬＳ領域が図３のように配置されている場合、ＲＧ及びＬＧ領域は、図７のような形態に配置されていてもよい。
【００３５】
１つの例示でＲＧ及びＬＧ領域をそれぞれ透過したＲ及びＬ信号は、実質的に互いに垂直な方向に直線偏光されている信号であることができる。他の例示でＲＧ及びＬＧ領域をそれぞれ透過したＲ及びＬ信号のうちいずれか１つの信号は、左円偏光された信号であり、他の１つの信号は、右円偏光された信号であることができる。このためにＬＧ及びＲＧ領域のうち１つ以上の領域は、位相差層を含むことができる。
【００３６】
例えば、左円及び右円偏光された信号を生成することができる場合としては、ＲＧ及びＬＧ領域がいずれも位相差層を含み、ＲＧ領域に含まれる位相差層とＬＧ領域に含まれる位相差層がλ／４波長層である場合が例示されることができる。互いに逆方向に回転する円編光された光を生成するために、ＲＧ領域に配置されたλ／４波長層の光軸とＬＧ領域に配置されたλ／４波長層の光軸は、互いに異なるように形成されていてもよい。１つの例示でＲＧ領域は、位相差層として第１方向に光軸を有するλ／４波長層を含み、ＬＧ領域は、位相差層として前記第１方向とは異なる第２方向に光軸を有するλ／４波長層を含むことができる。本明細書で用語「ｎλ波長層」は、入射される光をその波長のｎ倍だけ位相遅延をさせることができる位相遅延素子を意味することができ、上記でｎは、例えば、１／２、１／４または３／４であることができる。また、本明細書で用語「光軸」は、光が当該領域を透過する過程での遅相軸（ｓｌｏｗ  ａｘｉｓ）または進相軸（ｆａｓｔ  ａｘｉｓ）を意味することができ、例えば、遅相軸を意味することができる。
【００３７】
ＲＧ及びＬＧ領域の態様が上記のような態様に制限されるものではない。例えば、ＲＧ及びＬＧ領域のうちいずれか１つは、３λ／４波長層を含み、他の領域は、λ／４波長層を含む場合にも、左円及び右円偏光された光を生成することができる。
【００３８】
他の例示では、前記ＲＧ及びＬＧ領域のうちいずれか１つの領域は、λ／２波長層であり、他の領域は、光学的に等方性の領域であることができる。このような場合には、ＲＧ及びＬＧ領域をそれぞれ透過したＲ及びＬ信号は、実質的に互いに垂直な方向に偏光軸を有するように直線偏光された光の形態で３Ｄ装置で出射されることができる。
【００３９】
例示的な偏光調節部は、基材をさらに含むことができる。このような場合に、前記λ／４、３λ／４またはλ／２波長層などの位相差層または前記光学的に等方性の層は、前記基材 上に形成されていてもよい。このような偏光調節部は、例えば、位相差層が表示部側に配置され、基材は、観察者側に配置されるように装置に含まれることができる。
【００４０】
基材としては、例えば、光学素子の製造に通常的に使用されるガラス基材またはプラスチック基材を使用することができる。
【００４１】
プラスチック基材としては、ＴＡＣ（ｔｒｉａｃｅｔｙｌ  ｃｅｌｌｕｌｏｓｅ）またはＤＡＣ（ｄｉａｃｅｔｙｌ  ｃｅｌｌｕｌｏｓｅ）のようなセルロース基材；ノルボルネン誘導体などのような環状オレフィン樹脂（ＣＯＰ；ｃｙｃｌｏ  ｏｌｅｆｉｎ  ｐｏｌｙｍｅｒ）基材；ＰＭＭＡ（ｐｏｌｙ（ｍｅｔｈｙｌ  ｍｅｔｈａｃｒｙｌａｔｅ）などのようなアクリル基材；ポリカーボネート（ＰＣ、ｐｏｌｙｃａｒｂｏｎａｔｅ）基材；ＰＥ（ｐｏｌｙｅｔｈｙｌｅｎｅ）またはＰＰ（ｐｏｌｙｐｒｏｐｙｌｅｎｅ）などのようなポリオレフィン基材；ポリビニルアルコール（ＰＶＡ、ｐｏｌｙｖｉｎｙｌ  ａｌｃｏｈｏｌ）基材；ポリエーテルスルホン（ＰＥＳ、ｐｏｌｙ  ｅｔｈｅｒ  ｓｕｌｆｏｎｅ）基材；ポリエーテルエーテルケトン（ＰＥＥＫ、ｐｏｌｙｅｔｈｅｒｅｔｈｅｒｋｅｔｏｎ）基材；ポリエーテルイミド（ＰＥＩ、ｐｏｌｙｅｔｈｅｒｉｍｉｄｅ）基材；ポリエチレンナフタレート（ＰＥＮ、ｐｏｌｙｅｔｈｙｌｅｎｅｎａｐｈｔｈａｔｌａｔｅ）基材；ＰＥＴ（ｐｏｌｙｅｔｈｙｌｅｎｅｔｅｒｅｐｈｔａｌａｔｅ）などのようなポリエステル基材；ポリイミド（ＰＩ、ｐｏｌｙｉｍｉｄｅ）基材；ポリスルホン（ＰＳＦ、ｐｏｌｙｓｕｌｆｏｎｅ）基材；または非晶質フッ素樹脂などのようなフッ素樹脂基材などが例示されることができる。１つの例示では、ＴＡＣ基材などのようなセルロース基材が使用されることができる。
【００４２】
基材は、単一層構造または多層構造であることができるが、さらに薄い厚さの素子を提供する側面で単一層構造であることが好ましい。基材の厚さは、特に制限されず、目的する用途によって適宜調節されることができる。
【００４３】
１つの例示で、基材上に形成されていてもよい位相差層は、基材上に形成された配向層及び前記配向層上に形成されている液晶層を含むことができる。液晶層は、例えば、前記λ／４、３λ／４またはλ／２波長層であることができ、液晶層下部の配向層は、前記波長層の光軸を制御する役目をする層であることができる。配向層としては、この分野で公知されている通常の配向層を使用することができる。例えば、配向層としては、直線偏光された光の照射によって誘導される異性化（ｃｉｓ−ｔｒａｎｓ  ｉｓｏｍｅｒｉｚａｔｉｏｎ）、フリース再配列（ｆｒｉｅｓ  ｒｅａｒｒａｎｇｅｍｅｎｔ）または二量化（ｄｉｍｅｒｉｚａｔｉｏｎ）反応によって配向が決定され、決定された配向によって隣接する液晶層に配向を誘導することができる光配向層、ラビング処理されたポリイミド層のような高分子層、ナノインプリンティング方式などのインプリンティング方式で形成された配向層または複数の溝領域がパターニングされて形成されている樹脂層などが例示されることができる。
【００４４】
液晶層は、光架橋性または光重合性液晶化合物の光架橋層または光重合層であることができる。この分野では、上記のような特性を示す多様な液晶化合物が公知されており、その例としては、マーク（Ｍｅｒｋ）社のＲＭ（Ｒｅａｃｔｉｖｅ  Ｍｅｓｏｇｅｎ）またはＢＡＳＦ社のＬＧ２４２などを挙げることができる。
【００４５】
偏光調節部を製造する方式は、特に制限されない。この分野では、偏光調節部の製造方法が多様に公知されており、上記のような公知の方式がすべて適用されることができる。
【００４６】
フィルタ部は、ＲＧ及びＬＧ領域と隣接して位置するＴＣ２領域を含むことができる。図８は、図６のＬＧ及びＲＧ領域の配置形態をＴＣ２の存在を勘案してさらに図示した図であり、図９は、図７のＬＧ及びＲＧ領域の配置をＴＣ２の存在を勘案して図示した図である。図８及び図９で、ＴＣ２領域は、斜線で表示されている。
【００４７】
フィルタ部においてＴＣ２領域は、必要に応じて適切な個所に形成されていてもよい。１つの例示でＴＣ２領域は、フィルタ部の偏光調節部と第２偏光板との間に位置することができる。前記状態でＴＣ２領域は、装置を正面で見るとき、ＲＧまたはＬＧ領域、またはＲＧ及びＬＧ領域の少なくとも一部分と重なるように位置することができる。図１０は、ＴＣ２領域がＲＧ及びＬＧ領域の少なくとも一部分と重なるように位置する３Ｄ装置１０を例示的に示す図である。図１０のように、ＴＣ２領域は、例えば、第２偏光板１０２１の偏光調節部１０２２と対向する一面または前記偏光板１０２１と対向する偏光調節部１０２２の一面に当接しつつ、ＲＧ及び／またはＬＧ領域の少なくとも一部分と重なるように位置することができる。
【００４８】
他の例示でＴＣ２領域は、フィルタ部の第２偏光板と表示部の映像生成領域との間に位置することができる。前記状態でＴＣ２領域は、装置を正面で見るとき、ＲＧまたはＬＧ領域、またはＲＧ及びＬＧ領域の少なくとも一部分と重なるように位置することができる。図１１は、ＴＣ２領域がフィルタ部の第２偏光板と表示部の映像生成領域との間に位置する３Ｄ装置１１を例示的に示す図である。図１１のように、ＴＣ２領域は、例えば、偏光調節部１０２２と当接する第２偏光板１０２１の一面と反対側の第２偏光板１０２１の一面に当接するか、または図１１では図示していないが、表示部、例えば、第２偏光板１０２１に対向する映像生成領域１０１３の面に当接しつつ、ＲＧ及び／またはＬＧ領域の少なくとも一部分と重なるように位置することができる。
【００４９】
他の例示でＴＣ２領域は、偏光調節部の表示部の反対側に位置することができる。前記状態でＴＣ２領域は、装置を正面で見るとき、ＲＧまたはＬＧ領域、またはＲＧ及びＬＧ領域の少なくとも一部分と重なるように位置することができる。図１２は、ＴＣ２領域が偏光調節部の表示部の反対側に位置する３Ｄ装置１２を例示的に示す図である。図１２のように、ＴＣ２領域は、例えば、第２偏光板１０２１と当接する偏光調節部１０２２の面とは反対側の偏光調節部１０２２の一面に当接しつつ、ＲＧ及び／またはＬＧ領域の少なくとも一部分と当接するように位置することができる。
【００５０】
ＴＣ２領域は、例えば、光遮断性または光吸収性インクを使用して形成することができる。例えば、目的するＴＣ２領域の形状、パターン及び位置を考慮して光遮断性または光吸収性インクを印刷する方式でＴＣ２領域を形成することができる。例えば、図１０のような位置にＴＣ２領域を形成しようとする場合には、前記インクを第２偏光板１０２１または偏光調節部１０２２の一面に目的する形状とパターンで印刷する方式でＴＣ２領域を形成することができる。また、図１１のような位置にＴＣ２領域を形成しようとする場合には、第２偏光板１０２１の一面または映像生成領域１０１３の一面に前記インクを印刷する方式でＴＣ２領域を形成することができる。例えば、映像生成領域が液晶パネルである場合、前述したように、液晶パネルに含まれることができる第２基板に目的する形状とパターンで前記インクを印刷してＴＣ２領域を形成することができる。また、図１２のような位置にＴＣ２領域を形成する場合には、偏光調節部１０２２の一面、例えば、前述した基材、すなわちλ／４、３λ／４またはλ／２波長層などの位相差層や光学的に等方性の層が形成されている偏光調節部の基材において前記位相差層や等方性の層が形成されていない基材の一面に目的する形状とパターンで前記インクを印刷する方式でＴＣ２領域を形成することができる。
【００５１】
前記インクとしては、例えば、特別な制限がなく、公知の光遮断性または光吸収性インクを使用することができる。このようなインクの例としては、カーボンブラック（ｃａｒｂｏｎ  ｂｌａｃｋ）、黒煙または酸化鉄などのような無機顔料や、アゾ系顔料またはフタロシアニン系顔料などの有機顔料を含むインクを挙げることができ、上記は、適切なバインダー（ｂｉｎｄｅｒ）及び／または溶剤（ｓｏｌｖｅｎｔ）と配合されて印刷工程に適用されることができる。例えば、前記顔料の配合量や種類を調節し、ＴＣ２領域の光透過率を調節することができる。
【００５２】
印刷方式は、特に制限されず、例えば、スクリーン印刷またはグラビア印刷などの印刷方式や、インクジェット方式による選択的なジェッティング方式を使用することができる。
【００５３】
本出願に例示する３Ｄ装置は、ＴＣ１とＴＣ２領域を含み、これにより、輝度の損失なしに広い視野角で立体映像を表示することができる。
【００５４】
１つの例示でＴＣ１及びＴＣ２領域は、下記数式１を満たすことができる。下記数式１を満たす範囲内で３Ｄ装置の輝度特性が適切に確保されながら、広い視野角を示すことができる。
【００５５】
〔数式１］
Ｈ１＋Ｈ２≦（ＰＬ＋ＰＲ）／２
【００５６】
前記数式１でＨ１は、ＴＣ１領域の幅であり、Ｈ２は、ＴＣ２領域の幅であり、ＰＬは、ＬＧ領域の幅であり、ＰＲは、ＲＧ領域の幅である。
【００５７】
図１３は、３Ｄ装置の模式的に示す図であり、前記「Ｈ１」、「Ｈ２」、「ＰＬ」及び「ＰＲ」をそれぞれ表示する。
【００５８】
３Ｄ装置で「Ｈ１」及び「Ｈ２」の具体的な範囲は、３Ｄ装置の具体的な仕様によって前記数式１を満たす範囲を考慮して適宜選択されることができるものであり、その具体的な数値は、特に制限されるものではない。１つの例示でＨ２は、例えば、０μｍを超過し、また１，０００μｍ以下の範囲であることができる。前記Ｈ２の下限は、例えば、２０μｍ、２５μｍ、３０μｍ、３５μｍ、４０μｍ、４５μｍ、５０μｍ、５５μｍ、６０μｍ、６５μｍ、７０μｍ、７５μｍまたは８０μｍであることができる。また、前記Ｈ２の上限は、例えば、９００μｍ、８００μｍ、７００μｍ、６００μｍ、５００μｍ、４００μｍ、３００μｍ、２９０μｍ、２８０μｍ、２７０μｍ、２６０μｍ、２５０μｍ、２４０μｍ、２３０μｍ、２２０μｍ、２１０μｍまたは２００μｍであることができる。このような上限と下限の範囲で多様な数値が選択及び組合され、Ｈ２の範囲が規定されることができる。
【００５９】
また、「Ｈ１」は、例えば、Ｈ１とＨ２の和が約０μｍを超過し、また２，０００μｍ以下の範囲になるように選択されることができる。前記Ｈ１とＨ２の和の下限は、例えば、４０μｍ、５０μｍ、６０μｍ、７０μｍ、８０μｍ、９０μｍ、１００μｍ、１１０μｍ、１２０μｍ、１３０μｍ、１４０μｍ、１５０μｍまたは１６０μｍであることができる。また、前記Ｈ１とＨ２の和の上限は、例えば、１９００μｍ、１８００μｍ、１７００μｍ、１６００μｍ、１５００μｍ、１４００μｍ、１３００μｍ、１２００μｍ、１１００μｍ、１０００μｍ、９００μｍ、８００μｍ、７００μｍ、６００μｍ、５００μｍ、４００μｍまたは３００μｍであることができる。このような上限と下限の範囲で多様な数値が選択及び組合され、Ｈ１とＨ２の和の範囲が規定されることができる。
【００６０】
また、前記３Ｄ装置で「ＰＲ」及び「ＰＬ」の具体的な範囲も、３Ｄ装置の具体的な仕様によって選択されることができるものであり、その具体的な数値は、特に制限されるものではない。１つの例示で前記３Ｄ装置が４７インチの装置である場合、前記「ＰＲ」及び「ＰＬ」の具体的な範囲は、例えば、それぞれ１５０μｍ〜３５０μｍの範囲内で選択されることができる。通常的な装置のスペックを勘案すれば、前記「ＰＲ」及び「ＰＬ」の具体的な範囲は、例えば、１５０μｍ〜１，０００μｍの範囲にあり得る。
【００６１】
３Ｄ装置では、ＴＣ２領域の幅Ｈ２がＴＣ１領域の幅Ｈ１と同一であるか、またはそれより小さいことができる。１つの例示でＴＣ１領域の幅Ｈ１とＴＣ２領域の幅Ｈ２の差Ｈ１−Ｈ２は、例えば、１，０００μｍ以内、９００μｍ以内、８００μｍ以内、７００μｍ以内、６００μｍ以内、５００μｍ以内、４００μｍ以内、３００μｍ以内、１７５μｍ以内、１５０μｍ以内、１２５μｍ以内、１００μｍ以内、７５μｍ以内、５０μｍ以内または２５μｍ以内であるか、実質的に０μｍ以内であることができる。このような状態で前記３Ｄ装置は、輝度の損失なしに広い視野角を確保することができる。
【００６２】
前記３Ｄ装置は、例えば、正面で観察した相対輝度が６０％以上、６５％以上または７０％以上であることができる。本明細書で用語「相対輝度」は、ＴＣ１及びＴＣ２領域がいずれも形成されていない３Ｄ装置における輝度ＩＯに対してＴＣ１及びＴＣ２領域が形成されている３Ｄ装置における輝度ＩＴの比率ＩＴ／ＩＯを意味する。
【００６３】
前記３Ｄ装置は、また、例えば、下記数式２を満たす角度ΘＵ及び下記数式３を満たす角度ΘＵの最大値がすべて３度またはそれ以上、５度またはそれ以上、８度またはそれ以上、８．５度またはそれ以上、９度またはそれ以上、９．５度またはそれ以上、１０度またはそれ以上、１０．５度またはそれ以上、１１度またはそれ以上、１１．５度またはそれ以上、１２度またはそれ以上、１２．５度またはそれ以上、１３度またはそれ以上、１３．５度またはそれ以上、１４度またはそれ以上、１４．５度またはそれ以上または１５度またはそれ以上であることができる。
【００６４】
［数式２］
ｔａｎΘＵ＝（Ｈ１＋２ｙ）／２Ｔ
【００６５】
［数式３］
ｔａｎΘＬ＝（Ｈ１＋２Ｈ２−２ｙ）／２Ｔ
【００６６】
前記数式２及び３でＨ１は、ＴＣ１領域の幅であり、Ｈ２は、ＴＣ２領域の幅であり、Ｔは、表示部からフィルタ部までの距離であり、ｙは、ＴＣ１領域の幅を二等分する線の前記ＴＣ１領域の表面に対する仮想の法線がＴＣ２領域と当接する地点からＴＣ２領域が存在する部分までの距離である。
【００６７】
ΘＵ及びΘＬは、例えば、それぞれ３Ｄ装置の視野角を意味することができる。数式１及び２について図１４を参照して、さらに説明すれば、下記の通りである。
【００６８】
用語「視野角」が、映像生成領域で生成されたＬ信号がフィルタ部のＬＧ領域を透過し、またＲＧ領域を透過することなく、観察者に伝達され得る角度の範囲または映像生成領域で生成されたＲ信号がフィルタ部のＲＧ領域を透過し、またＬＧ領域を透過することなく、観察者に伝達され得る角度の範囲を意味するものと仮定するとき、前記視野角は、図１４でそれぞれΘＵ及びΘＬで表示されている。
【００６９】
図１４のように、視野角は、映像生成領域からフィルタ部までの距離ＴとＴＣ１及びＴＣ２領域の幅によって決定されることができる。上記で映像生成領域からフィルタ部までの距離Ｔは、例えば、映像生成領域のフィルタ部と対向する面からフィルタ部のＴＣ２領域が終わる地点までの距離であることができる。例えば、映像生成領域が液晶パネルにより形成される領域の場合に、前記映像生成領域のフィルタ部と対向する面は、前記液晶パネルの液晶層の前記フィルタ部と対向する面を意味することができる。
【００７０】
前記距離Ｔは、３Ｄ装置の仕様によって決定されるもので、特に制限されない。例えば、前記距離Ｔは、５ｍｍ以下、または約０．５ｍｍ〜５ｍｍ程度であることができる。
【００７１】
図１４を参照すれば、視野角ΘＵ及びΘＬは、距離Ｔが同一である場合、ＴＣ１及びＴＣ２領域の幅（Ｈ１及びＨ２）とＴＣ１及びＴＣ２領域の相対的位置によって決定されることが分かる。
【００７２】
すなわち、図１４を参照すれば、視野角ΘＵは、ｔａｎΘＵがＴＣ１領域の幅Ｈ１の１／２倍の数値にＴＣ１領域の幅を二等分する線の前記ＴＣ１または映像生成領域の表面に対する仮想の法線ＣがＴＣ２領域と当接する地点からＴＣ２領域が存在する部分までの距離ｙの和Ｈ１／２＋ｙを前記距離Ｔで分けた数値と同一になるように形成されていることが分かる。また、視野角ΘＬは、ｔａｎΘＬがＴＣ１領域の幅Ｈ１の１／２倍の数値に前記ＴＣ２領域の幅Ｈ２でＴＣ１領域の幅Ｈ１を二等分する線の前記ＴＣ１領域または映像生成領域の表面に対する仮想の法線ＣがＴＣ２領域と当接する地点からＴＣ２領域が存在する部分までの距離ｙを差し引いた数値Ｈ２−ｙの和Ｈ１／２＋Ｈ２−ｙを前記距離Ｔで分けた数値と同一になるように形成されていることが分かる。
【００７３】
ＴＣ１及びＴＣ２領域を含む３Ｄ装置では、ＴＣ１及びＴＣ２領域のサイズ、例えば、幅と前記ＴＣ１及びＴＣ２領域の相対的位置を適宜調節することによって、立体映像の観察時に広い視野角を確保しながらも、輝度特性を優秀に確保することができる。
【００７４】
１つの例示的な前記３Ｄ装置は、正面で観察した相対輝度が６０％以上、６５％以上または７０％以上であり、また、それと同時に前記数式２を満たす角度ΘＵの最大値及び前記数式３を満たす角度ΘＬの最大値がすべて３度またはそれ以上、５度またはそれ以上、８度またはそれ以上、８．５度またはそれ以上、９度またはそれ以上、９．５度またはそれ以上、１０度またはそれ以上、１０．５度またはそれ以上、１１度またはそれ以上、１１．５度またはそれ以上、１２度またはそれ以上、１２．５度またはそれ以上、１３度またはそれ以上、１３．５度またはそれ以上、１４度またはそれ以上、１４．５度またはそれ以上または１５度またはそれ以上であることができる。
【００７５】
本出願は、また表示装置を製造する方法、例えば３Ｄ装置を製造する方法に関する。例えば、前記方法は、ＲＳ領域とＬＳ領域を含む表示部；及びＲＧ領域とＬＧ領域を含む偏光調節部を有するフィルタ部を含む表示装置、例えば、前述した表示装置を製造する方法であることができる。
【００７６】
前記方法で、フィルタ部は、駆動状態でＲＳ領域で生成及び伝達されるＲ信号がＲＧ領域に入射されることができ、ＬＳ領域で生成及び伝達されるＬ信号がＬＧ領域に入射されることができるように配置されることができる。
【００７７】
前記製造方法においてＴＣ１及びＴＣ２領域は、例えば、前記数式１を満たすことができる。前記方法でＴＣ１領域の配置は、例えば、駆動状態で生成されたＲ及び／またはＬ信号の少なくとも一部が前記ＴＣ１領域に入射され得るように行われることができる。前記ＴＣ１領域への入射は、例えば、表示部で生成された信号がフィルタ部に伝達される前の任意の時点で進行されればよい。また、前記ＴＣ１領域への入射は、視野角範囲内の少なくともいずれか１つの角度で達成されることができればよい。
【００７８】
また、前記方法でＴＣ２領域の配置は、前記Ｒ及び／またはＬ信号の少なくとも一部が入射され得るように行われることができる。上記でＴＣ２領域への入射は、前記Ｒ及び／またはＬ信号が前記ＲＧ及び／またはＬＧ領域に入射する前に、前記ＲＧ及び／またはＬＧ領域を透過する過程または前記ＲＧ及び／またはＬＧ領域を透過した後に行われることができる。また、前記ＴＣ２領域への入射は、視野角範囲内の少なくともいずれか１つの角度で達成されることができればよい。
【００７９】
ＲまたはＬ信号の一部が表示部で生成されてフィルタ部を透過する過程でＴＣ１及びＴＣ２領域に入射されるようにして、輝度の損失なしに広い視野角で映像、例えば、立体映像を表示することができる表示装置を製造することができる。
【００８０】
上記で「Ｈ１」、「Ｈ２」、「ＰＬ」及び「ＰＲ」の具体的な範囲としては、例えば、前記表示装置で記述した内容が同一に適用されることができる。
【００８１】
また、前記方法でＴＣ１及びＴＣ２領域の配置は、例えば、製造された表示装置で表示される映像を正面で観察するとき、相対輝度が、例えば、６０％以上、６５％以上または７０％以上になるように行われることができる。
【００８２】
また、前記方法でＴＣ１及びＴＣ２領域の配置は、例えば、製造された表示装置で前記数式２を満たす角度ΘＵ及び前記数式３を満たす角度ΘＬの最大値がすべて３度またはそれ以上、５度またはそれ以上８度またはそれ以上、８．５度またはそれ以上、９度またはそれ以上、９．５度またはそれ以上、１０度またはそれ以上、１０．５度またはそれ以上、１１度またはそれ以上、１１．５度またはそれ以上、１２度またはそれ以上、１２．５度またはそれ以上、１３度またはそれ以上、１３．５度またはそれ以上、１４度またはそれ以上、１４．５度またはそれ以上または１５度またはそれ以上になるように進行されることができる。
【００８３】
上記のような相対輝度または視野角は、例えば、配置されるＴＣ１及び／またはＴＣ２領域のサイズ、例えば、幅と前記ＴＣ１及び／またはＴＣ２領域の相対的位置を適宜調節することによって達成することができる。
【００８４】
１つの例示的な前記製造方法においてＴＣ１及びＴＣ２領域の配置は、製造された表示装置での映像を正面で観察した相対輝度が６０％以上、６５％以上または７０％以上になり、またそれと同時に前記数式２を満たす角度ΘＵの最大値及び前記数式３を満たす角度ΘＬの最大値がすべて３度またはそれ以上、５度またはそれ以上、８度またはそれ以上、８．５度またはそれ以上、９度またはそれ以上、９．５度またはそれ以上、１０度またはそれ以上、１０．５度またはそれ以上、１１度またはそれ以上、１１．５度またはそれ以上、１２度またはそれ以上、１２．５度またはそれ以上、１３度またはそれ以上、１３．５度またはそれ以上、１４度またはそれ以上、１４．５度またはそれ以上または１５度またはそれ以上になるように進行されることができる。
【発明の効果】
【００８５】
例示的な表示装置または映像表示方法によって、例えば、立体映像を輝度の損失がなしに広い視野角で表示することができる。
【図面の簡単な説明】
【００８６】
【図１】例示的な３Ｄ装置を示す図である。
【図２】ＬＳ領域及びＲＳ領域の例示的な配置を示す模式図である。
【図３】ＬＳ領域及びＲＳ領域の例示的な配置を示す模式図である。
【図４】ＬＳ領域、ＲＳ領域及びＴＣ１領域の例示的な配置を示す模式図である。
【図５】ＬＳ領域、ＲＳ領域及びＴＣ１領域の例示的な配置を示す模式図である。
【図６】ＬＧ領域及びＲＧ領域の例示的な配置を示す模式図である。
【図７】ＬＧ領域及びＲＧ領域の例示的な配置を示す模式図である。
【図８】ＬＧ領域、ＲＧ領域及びＴＣ２領域の例示的な配置を示す模式図である。
【図９】ＬＧ領域、ＲＧ領域及びＴＣ２領域の例示的な配置を示す模式図である。
【図１０】例示的な３Ｄ装置を示す模式図である。
【図１１】例示的な３Ｄ装置を示す模式図である。
【図１２】例示的な３Ｄ装置を示す模式図である。
【図１３】例示的な３Ｄ装置を示す模式図である。
【図１４】３Ｄ装置で視野角の形成を示す模式図である。
【発明を実施するための形態】
【００８７】
以下、実施例及び比較例を通じて前記装置を詳しく説明するが、前記装置の範囲がここに制限されるのではない。
【００８８】
実施例１〜４
図１のような構造を有し、且つ映像生成領域１０１３は、透過型液晶パネルであり、前記パネルのＲＳ及びＬＳ領域は、図２のように配置され、ＴＣ１領域が液晶パネルのカラーフィルタのブラックマトリックスにより形成され、ＴＣ１領域がＲＳ及びＬＳの領域の間でＲＳ及びＬＳ領域の一部分と重なると共に、図４のように位置するように形成されている装置を構成した。上記でＴＣ１領域がＲＳ領域と重なる範囲とＬＳ領域と重なる範囲は、同一になるようにＴＣ１領域を形成した。また、前記装置でフィルタ部１０２の偏光調節部１０２２のＲＧ領域とＬＧ領域は、図６のような形態に配置されるようにした。上記でＴＣ２領域は、ＲＧ及びＬＧの領域の間でＲＧ及びＬＧ領域の一部分と重なると共に、図８のように位置するように形成され、且つ上記でＴＣ２領域がＲＧ領域と重なる範囲とＬＧ領域と重なる範囲は、同一になるようにＴＣ２領域を形成した（すなわち、図１４を参照すれば、ｙがＨ２／２になるようにＴＣ２領域を形成した）。前記装置でＲＧ領域には、第２偏光板１０２１の吸収軸と反時計方向に４５度を成す方向に遅相軸が形成された位相差層（λ／４波長層）を位置させ、ＬＧ領域には、第２偏光板１０２１の吸収軸と時計方向に４５度を成す方向に遅相軸が形成された位相差層（λ／４波長層）を位置させ、第１及び第２偏光板１０１２、１０２１の吸収軸は、互いに垂直を成すように配置した。前記装置において表示部からフィルタ部までの距離（数式２及び３でのＴ）は、約１ｍｍであり、ＬＧ及びＲＧ領域の幅の和（数式１でＰＬ＋ＰＲ）は、約５４５μｍであり、ＬＧ及びＲＧ領域の幅は、互いに略同一であった。上記のような装置において最大視野角（ΘＵまたはΘＬ）約１３．５度がすべての実施例で確保され得るようにＴＣ１及びＴＣ２領域の幅（Ｈ１及びＨ２）を調節し、且つそれぞれの実施例でＴＣ１及びＴＣ２領域の幅（Ｈ１及びＨ２）を下記表１のように変更しながら、装置を駆動させ、各視野角（ΘＵまたはΘＬ）による相対輝度を輝度計（装備名：ＳＲＵＬ２  Ｓｐｅｃｔｒｏｍｅｔｅｒ）を使用して測定し、その結果を下記表１に基材した。
【００８９】
【表１】
0005863133.tif 000002
【００９０】
比較例１
実施例１〜４と同様に装置を構成し、且つＴＣ２領域を含まず、ＴＣ１領域のみを含むと共に、実施例のように最大視野角（ΘＵまたはΘＬ）約１３．５度が確保され得るようにＴＣ１領域の幅Ｈ１を２４０μｍに調節して装置を構成した．上記のような装置を駆動させながら、各視野角（ΘＵまたはΘＬ）による相対輝度を輝度計（装備名：ＳＲ−ＵＬ２  Ｓｐｅｃｔｒｏｍｅｔｅｒ）を使用して測定し、その結果を下記表２に記載した。
【００９１】
【表２】
0005863133.tif 000003
【符号の説明】
【００９２】
１、１０、１１、１２  ３Ｄ装置
１０１１  光源
１０１２  第１偏光板
１０１３  映像生成領域
１０１  表示部
１０２１  第２偏光板
１０２２  偏光調節部
ＬＳ  左眼用信号生成領域
ＲＳ  右眼用信号生成領域
ＴＣ１  第１光透過量調節領域
ＬＧ  左眼用信号偏光調節領域
ＲＧ  右眼用信号偏光調節領域
ＴＣ２  第２光透過量調節領域
Ｈ１  第１光透過量調節領域の幅
Ｈ２  第２光透過量調節領域の幅
ＰＬ  左眼用信号偏光調節領域の幅
ΘＰＲ  右眼用信号偏光調節領域の幅
Ｔ  表示部からフィルタ部までの距離
Ｃ  第１光透過量調節領域の幅を二等分する線の前記第１光透過量調節領域または映像生成領域の表面に対する仮想の法線
ｙ  前記仮想の法線Ｃが第２光透過量調節領域と当接する地点から第２光透過量調節領域の存在する部分までの距離
ΘＵ、ΘＬ  視野角
【図１】
0005863133.tif 000004
【図２】
0005863133.tif 000005
【図３】
0005863133.tif 000006
【図４】
0005863133.tif 000007
【図５】
0005863133.tif 000008
【図６】
0005863133.tif 000009
【図７】
0005863133.tif 000010
【図８】
0005863133.tif 000011
【図９】
0005863133.tif 000012
【図１０】
0005863133.tif 000013
【図１１】
0005863133.tif 000014
【図１２】
0005863133.tif 000015
【図１３】
0005863133.tif 000016
【図１４】
0005863133.tif 000017